(57)【要約】  より容易に開封することができる開封片付き包装体を提供するため、開封片付き包装体（１０）は、包装体（１）と接合している接合部を有する開封片（２）を備え、接合部は、包装体（１）を面状に裂く起点となる第１接合部（３ａ）と、面状に裂かれた包装体（１）の胴周方向の幅をさらに広げる起点となる第２接合部（３ｂ）とを含む。
2016185884.tif 000002
【特許請求の範囲】
【請求項１】
筒状に形成した包装フィルムの内部に内容物を充填し、両端を閉じて形成された包装体と、
上記包装体と接合している接合部を有する開封片と、を備え、
上記接合部は、
上記開封片を所定方向に剥がすことによって、上記包装フィルムを面状に裂くことの起点となる第１接合部と、
上記第１接合部よりも上記所定方向の下流側に位置し、上記開封片を上記所定方向に剥がした際に上記第１接合部によって面状に裂かれた上記包装フィルムが到達すると、面状に裂かれる上記包装フィルムの胴周方向の幅をさらに広げることの起点となる第２接合部と、を含むことを特徴とする開封片付き包装体。
【請求項２】
上記所定方向は、上記開封片付き包装体の長手方向であり、
上記第２接合部は、上記胴周方向に延びた線形状を有しており、
上記第１接合部は、上記第２接合部よりも上記胴周方向の幅が小さい形状を有していることを特徴とする請求項１に記載の開封片付き包装体。
【請求項３】
上記接合部は、
上記開封片を上記所定方向に剥がした際に上記第２接合部によって面状に裂かれた上記包装フィルムを上記開封片付き包装体の後方に引き下げると、上記包装フィルムを上記包装体の胴周方向に開裂させることの起点となる第３接合部をさらに含むことを特徴とする請求項１または２に記載の開封片付き包装体。
【請求項４】
上記第３接合部は、上記第２接合部よりも上記胴周方向の幅が小さい形状を有していることを特徴とする請求項３に記載の開封片付き包装体。
【請求項５】
上記開封片は、矩形であり、
上記第２接合部は、上記線形状の両端から、当該線形状よりも上記所定方向の下流側に向かって傾斜している斜線部分を有していることを特徴とする請求項２に記載の開封片付き包装体。
【請求項６】
上記開封片は、矩形であり、
上記第３接合部は、上記第２接合部の上記所定方向の下流側の端部よりも上記所定方向の上流側の位置に形成されていることを特徴とする請求項４に記載の開封片付き包装体。
【発明の詳細な説明】
【技術分野】
【０００１】
本発明は、開封片が包装体に接合されている開封片付き包装体および当該開封片に関する。
【背景技術】
【０００２】
ソーセージ等の内容物が密封された包装体は、一般的に、筒状に貼り合わせた包装フィルムに内容物を充填した後に、上下端を収束し結紮することによって製造されている。このような包装体の開封を容易にするために、小さなフィルムで形成された開封片を包装体に溶着することがある。【０００３】
図８に、開封片が包装体に溶着されている開封片付き包装体の一部分を示す正面図を示す。図８に示すように、開封片１２は、包装体１１の胴周方向に延びる直線状の溶着部１３で溶着されているのが一般的である（特許文献１および２）。【０００４】
この開封片１２をつまんで包装体１１の胴周方向にめくると溶着部１３が起点となり、包装フィルムに線状の切れ目を与える。その後、切れ目の上方に位置する結紮部１４をつまみ、開封片付き包装体２０の後方に引き下げることにより、上述の線状の切れ目がきっかけとなり包装フィルムが包装体１１の胴周方向に開裂する。包装フィルムの開裂が包装フィルムを筒状に貼り合わせている部分に到達すると、その部分に沿って内容物が露出し、開封片付き包装体２０の開封に至る。
【先行技術文献】
【特許文献】
【０００５】
【特許文献１】日本国公開特許公報「特開２０１１−５１６１０号公報」（２０１１年３月１７日公開）
【特許文献２】日本国公開実用新案公報「実開平３−８７６７１号公報」（１９９１年９月６日公開）
【発明の概要】
【発明が解決しようとする課題】
【０００６】
特許文献１および２に開示されているような開封片付き包装体では、開封片をつまんで胴周方向にめくって剥がすことにより、包装フィルムの開裂のきっかけとなる線状の切れ目を包装フィルムにつける工程と、線状の切れ目の上方に位置する結紮部をつまんで開封片付き包装体の後方に引き下げて内容物を露出する工程との２つの行程を要する。そのため、開封片付き包装体を開封するために手間がかかる上に、剥がした開封片を廃棄するための手間もかかる。【０００７】
また、上記の２つの工程は、消費者にとっては分かり難く、消費者は開封片付き包装体の開封方法を直感的に理解することが難しい。【０００８】
そこで、本発明は、上述の問題に鑑みてなされたものであり、その目的は、より容易に開封することができる開封片付き包装体を提供することにある。
【課題を解決するための手段】
【０００９】
上記の課題を解決するために、本発明の一態様に係る開封片付き包装体は、筒状に形成した包装フィルムの内部に内容物を充填し、両端を閉じて形成された包装体と、上記包装体と接合している接合部を有する開封片と、を備え、上記接合部は、上記開封片を所定方向に剥がすことによって、上記包装フィルムを面状に裂くことの起点となる第１接合部と、上記第１接合部よりも上記所定方向の下流側に位置し、上記開封片を上記所定方向に剥がした際に上記第１接合部によって面状に裂かれた上記包装フィルムが到達すると、面状に裂かれる上記包装フィルムの胴周方向の幅をさらに広げることの起点となる第２接合部と、を含む構成を有している。【００１０】
上記の構成によれば、開封片が第１接合部を有しているため、本発明の一態様に係る開封片付き包装体の開封時に開封片を剥がす際には、まず第１接合部によって包装フィルムが面状に裂かれ、その状態で第２接合部において包装フィルムの裂開が行われる。このように、本発明の一態様に係る開封片付き包装体では、開封片を剥がす際、包装フィルムの裂開が段階的に行われるため、第２接合部において包装フィルムを面状に裂くことができる。【００１１】
裂かれた包装フィルムをさらに開封片付き包装体の後方に引き下げていくことにより、包装フィルムを筒状に貼り合わせている部分に沿って包装フィルムが開裂していき、開封片付き包装体を開封することができる。この際、第２接合部によって、面状に裂かれる包装フィルムの胴周方向の幅が広がるため、裂かれた包装フィルムを開封片付き包装体の後方に引き下げる際に容易に包装フィルムを包装体の胴周方向に開裂させることができ、より容易に開封片付き包装体を開封することができる。
【発明の効果】
【００１２】
本発明の一態様によれば、開封片付き包装体をより容易に開封することができる。
【図面の簡単な説明】
【００１３】
【図１】本発明の一実施形態に係る開封片付き包装体の一部分を示す正面図である。
【図２】図中の（ａ）〜（ｄ）は、本発明の一実施形態に係る開封片付き包装体の開封片を剥がすまでの各行程を示した図である。
【図３】図中の（ａ）および（ｂ）は、本発明の一実施形態に係る開封片付き包装体を開封するまでの各工程を示した図である。
【図４】図中の（ａ）〜（ｇ）は、本発明の一実施形態に係る開封片付き包装体の第１接合部の変形例を示した図である。
【図５】図中の（ａ）〜（ｆ）は、本発明の一実施形態に係る開封片付き包装体の第２接合部の変形例を示した図である。
【図６】図中の（ａ）〜（ｅ）は、本発明の一実施形態に係る開封片付き包装体の第３接合部の変形例を示した図である。
【図７】本発明の一変形例に係る開封片付き包装体の一部分を示す正面図である。
【図８】従来技術に係る開封片付き包装体の一部分を示す正面図である。
【発明を実施するための形態】
【００１４】
＜実施形態＞
図１〜３を参照して、本発明の実施形態に係る開封片付き包装体について説明する。図１に、本実施形態に係る開封片付き包装体の一部分を示す正面図を示す。図１に示すように、開封片付き包装体１０は、包装体１、包装体１と接合している接合部を有する開封片２、および包装体１の上下端を結紮している結紮部４を有している。
【００１５】
［包装体］
包装体１は、内容物を内部に密封しているものである。包装体１は、帯状の包装フィルムを筒状に巻き、長手方向Ｙに延びる両側辺を重ね合わせ、重ね合わせた両側辺を溶着することにより筒状形状を形成した後、その内部に内容物を充填し、上下端を結紮部４によって閉じて形成されている。
【００１６】
包装フィルムの両側辺の重ね合わせは、包装フィルムの長手方向に延びる一方の側辺の表（おもて）面と、他方の側辺の裏面とを重ね合わせる封筒貼り、および包装フィルムの長手方向に延びる両側辺の表面同士または裏面同士を重ね合わせる合掌貼りのいずれの方法で重ね合わせてもよい。
【００１７】
包装フィルムとしては、高分子フィルムが好適に用いられる。高分子フィルムとしては、塩化ビニリデン系樹脂を用いることが好ましいが、これに限定されるものではない。これにより、包装フィルムを筒状形成する際に、包装フィルムの長手方向に延びる両側辺を熱溶着によって溶着させることができる。
【００１８】
包装体１に充填される内容物は、食用としての魚の肉である魚肉練り肉（魚肉練製品および魚肉ソーセージの原料）が主原料として好適に用いられる。また、獣肉用の練肉あるいはプロセスチーズ等であってもよい。なお包装体１に充填される内容物は、これらに限定されるものではない。
【００１９】
［開封片］
開封片２は、開封フィルムによって形成されており、包装体１の開封を容易にするために包装体１に取り付けられた部材である。開封片２は、開封片２の接合部が包装体１に接合されていることにより包装体１に取り付けられている。なお、開封片２は、包装体１における重ね合わせを貼り合わせた部分に重ならないように、包装体１に取り付けられている。詳細は後述するが、本実施形態では、開封片２を剥離方向Ａ（所定方向）に剥がすことにより、開封片付き包装体１０を開封している。
【００２０】
開封フィルムとしては、高分子フィルムが好適に用いられる。高分子フィルムとしては、包装フィルムと同様に塩化ビニリデン系樹脂を用いることが好ましいが、これに限定されるものではない。
【００２１】
図１では、開封片２は矩形に形成されているが、開封片２を包装体１から剥がすことができる限り、その形状は特に制限されない。例えば、矩形以外にも、正方形、三角形および五角形等の多角形ならびに円形および楕円形等の形状に形成することができる。
【００２２】
［接合部］
接合部は、開封片２において包装体１と接合している部分である。開封片２を包装体１に接合させる方法は、超音波溶着が好適に用いられるが、高周波溶着等の他の溶着方法を用いることもできる。また、開封片２を包装体１に接合させる方法は溶着に限定されず、接着等の方法を用いてもよい。
【００２３】
本実施形態において、接合部は、第１接合部３ａ、第２接合部３ｂおよび第３接合部３ｃを含んでいる。第１接合部３ａ、第２接合部３ｂおよび第３接合部３ｃは、それぞれ独立して包装体１と接合しており、各接合部は互いにつながっていない。
【００２４】
（第１接合部３ａ）
第１接合部３ａは、開封片２を剥離方向Ａに剥がした際に、包装フィルムを面状に裂くことの起点となる接合部である。具体的には、第１接合部３ａは、開封片２を剥離方向Ａに剥がした際に、包装フィルムを面状に裂くことの起点となる切れ目を包装フィルムに与える接合部である。
【００２５】
図１では、第１接合部３ａは、逆三角形の形状を有しており、逆三角形の上辺の一部が内部に凹んでいる形状を有している。すなわち、第１接合部３ａは、底辺の一部が内部に凹んでいる三角形の形状を有しており、三角形の底辺が胴周方向Ｘに延び、当該底辺が開封片２の上端側に位置する形状を有している。第１接合部３ａでは、三角形の内部領域も含めて包装体１に接合していてもよいし、三角形の辺上だけ包装体１に接合していてもよい。
【００２６】
なお、第１接合部３ａの三角形の底辺の一部が内部に凹んでいることにより、第１接合部３ａにおいて包装体１に接合する面積が小さくなるため、開封片２を包装体１に良好に接合させることができる。ただし、第１接合部３ａは、三角形の底辺の一部が内部に凹んでいない形状を有していてもよい。
【００２７】
ここで、第１接合部３ａの胴周方向Ｘの幅は、第２接合部３ｂの胴周方向Ｘの幅よりも小さいことが好ましい。第１接合部３ａが、第２接合部３ｂの胴周方向Ｘの幅よりも小さい幅を有していると、上述したように、第１接合部３ａにおいて包装体１に接合する面積が小さくなるため、開封片２を包装体１に良好に接合させることができる。
【００２８】
（第２接合部３ｂ）
第２接合部３ｂは、第１接合部３ａよりも剥離方向Ａの下流側に位置し、開封片２を剥離方向Ａに剥がした際に第１接合部３ａによって面状に裂かれた包装フィルムが到達すると、面状に裂かれる包装フィルムの胴周方向の幅をさらに広げることの起点となる接合部である。具体的には、第２接合部３ｂは、開封片２を剥離方向Ａに剥がした際に第１接合部３ａによって面状に裂かれた包装フィルムが到達すると、面状に裂かれる包装フィルムの胴周方向の幅をさらに広げることの起点となる切れ目を包装フィルムに与える接合部である。
【００２９】
図１では、第２接合部３ｂは、胴周方向Ｘに延びる線形状を有している。具体的には、第２接合部３ｂは、胴周方向Ｘに延びる直線部分を有しており、当該直線部分には、その両端から開封片２の上端側の２つの角それぞれに向かって延びる２つの斜線部分が形成されている。第２接合部３ｂでは、直線部分および斜線部分が包装体１に接合されている。
【００３０】
図１のように、第２接合部３ｂは、線形状を有していることが好ましい。これは、第２接合部３ｂが線形状を有していることにより、第２接合部３ｂにおける包装フィルムの裂開時に、面状に裂かれる包装フィルムの胴周方向の幅をさらに広げることの起点となる切れ目を包装フィルムに与えやすくなるためである。なお、線形状には、直線、曲線、弧線、波線またはジグザグ線等、種々の形状の線が含まれる。
【００３１】
なお、第２接合部３ｂの斜線部分は、開封片付き包装体１０をレトルト殺菌するレトルト工程、または開封片付き包装体１０を製造する包装工程等において開封片２がめくれてしまうことを抑制する機能を有している。
【００３２】
第２接合部３ｂの斜線部分は、それぞれ開封片２の上端側の角まで完全に到達していてもよいし、第２接合部３ｂの各斜線部分と開封片２の上端側の角との間に隙間が存在していてもよく、第２接合部３ｂの直線部分の両端から、当該直線部分よりも剥離方向Ａの下流側に向かって傾斜していればよい。なお、「剥離方向Ａの下流側に向かって傾斜している」とは、第２接合部３ｂの直線部分の端部から開封片２の側端までに伸びる直線から、当該直線部分の端部から当該開封片の上端までに伸びる直線までの間に含まれる斜線を意味する。
【００３３】
第２接合部３ｂの斜線部分は、それぞれ開封片２の上端側の角まで完全に到達していれば、開封片２のめくれに伴って第２接合部３ｂの直線部分の端部が意図せずに剥がれてピンホールを生じさせることを抑制することができる。
【００３４】
ただし、第２接合部３ｂは、斜線部分を有していない形状、すなわち直線部分のみを有している形状であってもよい。また、第２接合部３ｂの中心部分は、包装体１と接合していなくてもよい。
【００３５】
第１接合部３ａによって面状に裂かれた包装フィルムを第２接合部３ｂに確実に到達させるために、第１接合部３ａと第２接合部３ｂとは対向していることが好ましい。第１接合部３ａの具体的な位置に限定はないが、第２接合部３ｂの中心部分に対向する位置に位置していることが望ましい。
【００３６】
（第３接合部３ｃ）
第３接合部３ｃは、開封片２を剥離方向Ａに剥がした際に、第２接合部３ｂによって面状に裂かれた包装フィルムを開封片付き包装体１０の後方に引き下げると、包装フィルムを包装体１の胴周方向Ｘに開裂させることの起点となる接合部である。具体的には、第３接合部３ｃは、第２接合部３ｂによって面状に裂かれた包装フィルムを開封片付き包装体１０の後方に引き下げた際に、包装フィルムを包装体１の胴周方向Ｘに開裂させることの起点となる切れ目を包装フィルムに与える接合部である。
【００３７】
図１では、第３接合部３ｃは、開封片２の下端側の２つの角それぞれにおいて、開封片２の下辺から側辺まで延びる斜線形状を有している。ここで、第３接合部３ｃの胴周方向Ｘの幅は、第２接合部３ｂの胴周方向Ｘの幅よりも小さいことが好ましい。
【００３８】
なお、第３接合部３ｃは、包装フィルムの開裂をより容易にするために形成されているものであり、接合部として第３接合部３ｃを形成せず第１接合部３ａおよび第２接合部３ｂのみを形成する構成であっても、包装フィルムを開裂させることはできる。
【００３９】
第３接合部３ｃには、開封片付き包装体１０をレトルト殺菌するレトルト工程、または開封片付き包装体１０を製造する包装工程等において開封片２がめくれてしまうことを抑制する機能を持たせることもできる。
【００４０】
第３接合部３ｃは、開封片２における剥離方向Ａの上流側の２つの角それぞれに形成されていてもよいし、第１接合部３ａの剥離方向Ａの上流側の端部と、第２接合部３ｂの剥離方向Ａの下流側の端部との間に形成されていてもよく、第２接合部３ｂの剥離方向Ａの下流側の端部よりも当該剥離方向Ａの上流側の位置に形成されていればよい。ただし、第３接合部３ｃが、開封片２における剥離方向Ａの上流側の２つの角それぞれに形成されていると、開封片２のめくれに伴って第２接合部３ｂの直線部分の端部が意図せずに剥がれてピンホールを生じさせることを抑制することができる。
【００４１】
［結紮部］
結紮部４は、内容物が充填された包装フィルムの上下端を収束させ、収束させた部分を合成樹脂テープで両側から挟み、収束させた部分を合成樹脂テープと共に加熱溶着し形成されている。合成樹脂テープとしては、包装フィルムと同様に塩化ビニリデン系樹脂を用いることが好ましく、さらに好ましくは塩化ビニリデン−塩化ビニル共重合体、塩化ビニリデン−メチルメタクリレート共重合体、または塩化ビニリデン−塩化ビニル−酢酸ビニル共重合体であり、特に好ましくは塩化ビニリデン−塩化ビニル共重合体である。なお、内容物を包装体１内に密封できれば結紮する方法は限定されず、包装フィルムの上下端をアルミワイヤー等で封止する方法、または包装フィルムの収束させた部分を直接溶着する方法等で結紮してもよい。
【００４２】
［接合部の作用機序］
開封片２における接合部の作用機序について、図２および図３を参照にして説明する。図２中の（ａ）〜（ｄ）は、開封片付き包装体１０の開封片２を剥がすまでの各行程を示している。また、図３中の（ａ）および（ｂ）は、開封片付き包装体１０を開封するまでの各工程を示している。
【００４３】
まず、図２の（ａ）の状態で開封片付き包装体１０を保持し、開封片２の下端部分をつまむ。そして、開封片２をつまんだまま上方の結紮部４に向けて、すなわち剥離方向Ａに向けて剥がすと、第１接合部３ａでは開封片２と包装フィルムとが接合しているため、図２の（ｂ）に示すように、開封片２を剥がすことにより第１接合部３ａが包装フィルムに切れ目５ａを与える。その切れ目５ａが起点となり、包装フィルムは面状に裂かれる。このとき、第３接合部３ｃでも開封片２と包装フィルムとが接合しているため、開封片２を剥がすことにより第３接合部３ｃも包装フィルムに切れ目５ｃを与える。
【００４４】
そのまま開封片２を上方の結紮部４に向けて剥がし、第１接合部３ａによって面状に裂かれた包装フィルムが第２接合部３ｂに到達すると、第２接合部３ｂでは開封片２と包装フィルムとが接合しているため、図２の（ｃ）に示すように、開封片２を剥がすことにより第２接合部３ｂが包装フィルムに切れ目５ｂを与える。その切れ目５ｂが起点となり、面状に裂かれる包装フィルムの胴周方向の幅が拡大する。
【００４５】
本実施形態に係る開封片付き包装体１０では、開封片２が第１接合部３ａを有しているため、まず第１接合部３ａによって包装フィルムが面状に裂かれ、その状態で第２接合部３ｂにおいて包装フィルムの裂開が行われる。このように、開封片付き包装体１０では、開封片２を剥がす際、包装フィルムの裂開が段階的に行われるため、第２接合部３ｂにおいて包装フィルムを面状に裂くことができる。
【００４６】
第２接合部３ｂによって面状に裂かれた包装フィルムを上方の結紮部４に向けてさらに引っ張ることにより、図２の（ｄ）に示すように、面状に裂かれた包装フィルムを上方の結紮部４まで剥がすことができる。
【００４７】
そして、結紮部４まで裂かれた包装フィルムを開封片付き包装体１０の後方（矢印Ｂ方向）に引っ張り（図３の（ａ））、さらに開封片付き包装体１０の下方の結紮部４（矢印Ｃ方向）に向けて引き下げることによって、第２接合部３ｂによる切れ目５ｂが起点となって、包装フィルムが包装体１の胴周方向Ｘに開裂する（図３の（ｂ））。ここで、開封片２が第３接合部３ｃを有している場合は、第３接合部３ｃによる切れ目５ｃが包装フィルムを包装体１の胴周方向Ｘに開裂させる起点となるため、より容易に包装フィルムを包装体１の胴周方向Ｘに開裂させることができる。
【００４８】
裂かれた包装フィルムをさらに開封片付き包装体１０の下方に引き下げていき、包装フィルムの開裂が包装フィルムを筒状に貼り合わせている部分に到達すると、貼り合わせている部分に沿って包装フィルムが開裂していく。この際、第２接合部３ｂによって、面状に裂かれる包装フィルムの胴周方向の幅が広がるため、面状に裂かれた包装フィルムを上方の結紮部４まで剥がした際に裂かれる包装フィルムの面積は大きい。そのため、結紮部４まで裂かれた包装フィルムを開封片付き包装体１０の後方に引き下げる際に容易に包装フィルムを包装体１の胴周方向Ｘに開裂させることができ、容易に開封片付き包装体１０を開封することができる。
【００４９】
特に、開封片付き包装体１０では、剥離方向Ａを開封片付き包装体１０の長手方向Ｙとすることにより、図２および図３の工程を一連の工程として実行できるため、１つの工程で開封片付き包装体１０の開封に至ることができる。これに対して、従来の開封片付き包装体では、開封片が包装体の胴周方向に延びる直線状の溶着部で溶着されているのが一般的であるが、このような開封片付き包装体では、開封片をつまんで胴周方向にめくって剥がすことにより、包装フィルムの開裂のきっかけとなる線状の切れ目を包装フィルムにつける工程と、線状の切れ目の上方に位置する結紮部をつまんで開封片付き包装体の後方に引き下げて内容物を露出する工程との２つの行程を要する。
【００５０】
このように、従来の開封片付き包装体では、開封片付き包装体を開封するまでに複数の工程を要するが、本実施形態に係る開封片付き包装体１０では、１つの工程で開封片付き包装体１０の開封にまで至らせることができるため、開封片付き包装体１０を開封するために手間がかからない。さらに、開封片２は開封片付き包装体１０を開封後も包装フィルム上に残留するため、剥がした開封片２を廃棄するための手間もかからない。
【００５１】
また、開封片２をめくる動作のみで開封片付き包装体１０の開封にまで至らせることができるので、開封片付き包装体１０の開封動作は消費者にとって分かりやすく、消費者は開封片付き包装体１０の開封方法を直感的に理解することができる。
【００５２】
＜変形例＞
第１接合部３ａは、包装フィルムを面状に裂くことが可能であれば特に大きさまたは形状は限定されない。そこで、図４に、第１接合部３ａの変形例を示す。
【００５３】
例えば、第１接合部３ａとして、円形状の第１接合部１３ａ（図４の（ａ））、ひし形状の第１接合部２３ａ（図４の（ｂ））、開封片２の胴周方向Ｘに延びる直線形状の第１接合部３３ａ（図４の（ｃ））、正方形状の第１接合部４３ａ（図４の（ｄ））、Ｖ字型の第１接合部５３ａ（図４の（ｅ））、円弧形状の第１接合部６３ａ（図４の（ｆ））、または三角形状の第１接合部７３ａ（図４の（ｇ））等、第１接合部３ａとは異なる形状の接合部も適用できる。
【００５４】
なお、図４の（ａ）の第１接合部１３ａ、図４の（ｂ）の第１接合部２３ａ、図４の（ｄ）の第１接合部４３ａ、および図４の（ｇ）の第１接合部７３ａについては、各形状の内部領域も含めて包装体１に接合していてもよいし、外形に沿って包装体１に接合していてもよい。
【００５５】
また、第１接合部３ａの数に特に限定はなく、第１接合部３ａを２つ以上設けてもよい。２つ以上の第１接合部３ａを設ける場合、当該２つ以上の第１接合部３ａを胴周方向Ｘに並べて配置することが好ましい。これにより、各第１接合部３ａによって包装フィルムが面状に裂かれることになるため、面状に裂かれた包装フィルムが第２接合部３ｂに到達するまでに第１接合部３ａによって裂かれた包装フィルムの面積はより多くなる。それにより、第２接合部３ｂにおける包装フィルムの裂開がより容易になり、より確実に第２接合部３ｂにおいて包装フィルムを面状に裂くことができる。
【００５６】
第２接合部３ｂは、第１接合部３ａによって面状に裂かれた包装フィルムが第２接合部３ｂに到達した際に、面状に裂かれた包装フィルムの胴周方向の幅を広げることが可能であれば、特に大きさまたは形状は限定されない。そこで、図５に、第２接合部３ｂの変形例を示す。
【００５７】
例えば、第２接合部３ｂとして、弧線形状の第２接合部１３ｂ（図５の（ａ））、ジグザグ線形状の第２接合部２３ｂ（図５の（ｂ））、波線形状の第２接合部３３ｂ（図５の（ｃ））、または胴周方向Ｘに延びる直線部分を有しており、当該直線部分には、その両端から開封片２の上端側に向かって延びる直線部分が形成されている第２接合部４３ｂ（図５の（ｄ））等、第２接合部３ｂとは異なる線形状の接合部も適用できる。第２接合部のさらなる別の形状として、胴周方向Ｘに延びる直線部分を有しており、当該直線部分には、その両端から開封片２の上端側の２つの角それぞれに向かって延びる２つの斜線部分が形成されている形状であって、胴周方向Ｘに延びる直線部分の長さが、第１接合部３ａの胴周方向Ｘにおける幅よりも短い形状である第２接合部５３ｂ（図５の（ｅ））、または第２接合部５３ｂにおける胴周方向Ｘに延びる直線部分を無くし、第２接合部５３ｂの斜線部分のみとした形状に相当する第２接合部６３ｂ（図５の（ｆ））も適用できる。
【００５８】
また、第３接合部３ｃは、面状に裂かれた包装フィルムを開封片付き包装体１０の後方に引き下げた際に、包装フィルムを胴周方向Ｘに開裂することが可能であれば、特に大きさまたは形状は限定されない。そこで、図６に、第３接合部３ｃの変形例を示す。
【００５９】
例えば、第３接合部３ｃとして、開封片２の下端側の２つの角それぞれから開封片２の内側に向かって延びる斜線形状の第３接合部１３ｃ（図６の（ａ））、頂点が開封片２の側辺と対向するように配置された三角形状の第３接合部２３ｃ（図６の（ｂ））、開封片２の胴周方向Ｘに延びる直線形状の第３接合部３３ｃ（図６の（ｃ））、円形状の第３接合部４３ｃ（図６の（ｄ））、または四角形状の第３接合部５３ｃ（図６（ｅ））等、第３接合部３ｃとは異なる形状の接合部も適用できる。
【００６０】
なお、図６の（ｂ）の第３接合部２３ｃ、図６の（ｄ）の第３接合部４３ｃ、および図６の（ｅ）の第３接合部５３ｃについては、各形状の内部領域も含めて包装体１に接合していてもよいし、外形に沿って包装体１に接合していてもよい。
【００６１】
上述した種々の形状の接合部を組み合わせることにより、開封片付き包装体１０を装飾することもできる。例えば、接合部が開封片付き包装体１０の装飾をなしている例を図７に示す。図７は、本変形例に係る開封片付き包装体の一部分を示す正面図である。
【００６２】
図７に示すように、図４の（ｇ）の第１接合部６３ａ、図５の（ｂ）の第２接合部２３ｂ、および図６の（ｄ）の第３接合部４３ｃを組み合わせ、開封片２に顔をデザインすることもできる。このように、種々の形状の接合部を組み合わせ、当該接合部によって開封片付き包装体１０を装飾することにより、開封片付き包装体１０のデザイン性を向上させることもできる。
【００６３】
なお、以上では、開封片２を包装体１の長手方向Ｙに沿って剥がすことにより、開封片付き包装体１０を開封する構成を示したが、本発明は必ずしもこれに限定されるわけではない。例えば、開封片２を第２接合部３ｂが包装体１の長手方向Ｙに延びるように包装体１に取り付け、当該開封片２を包装体１の胴周方向Ｘに沿って剥がすことにより、開封片付き包装体１０を開封する構成も可能である。ただし、開封片２を包装体１の長手方向Ｙに沿って剥がすことにより、開封片付き包装体１０を開封する構成であれば、開封片付き包装体１０を１つの工程で開封することができるため、より好適である。
【００６４】
以上のように、本発明の一態様に係る開封片付き包装体は、筒状に形成した包装フィルムの内部に内容物を充填し、両端を閉じて形成された包装体と、上記包装体と接合している接合部を有する開封片と、を備え、上記接合部は、上記開封片を所定方向に剥がすことによって、上記包装フィルムを面状に裂くことの起点となる第１接合部と、上記第１接合部よりも上記所定方向の下流側に位置し、上記開封片を上記所定方向に剥がした際に上記第１接合部によって面状に裂かれた上記包装フィルムが到達すると、面状に裂かれる上記包装フィルムの胴周方向の幅をさらに広げることの起点となる第２接合部と、を含む構成を有している。
【００６５】
また、本発明に係る開封片付き包装体においては、上記所定方向は、上記開封片付き包装体の長手方向であり、上記第２接合部は、上記胴周方向に延びた線形状を有しており、上記第１接合部は、上記第２接合部よりも上記胴周方向の幅が小さい形状を有していることが好ましい。
【００６６】
上記の構成によれば、第２接合部における包装フィルムの裂開時に、面状に裂かれる包装フィルムの胴周方向の幅をさらに広げることの起点となる切れ目を包装フィルムに与えることができる。
【００６７】
そして、開封片を開封片付き包装体の長手方向に沿って剥がすことにより、開封片付き包装体を１つの工程で開封することができるため、より好適である。
【００６８】
また、本発明に係る開封片付き包装体においては、上記接合部は、上記開封片を上記所定方向に剥がした際に上記第２接合部によって面状に裂かれた上記包装フィルムを上記開封片付き包装体の後方に引き下げると、上記包装フィルムを上記包装体の胴周方向に開裂させることの起点となる第３接合部をさらに含むことが好ましい。
【００６９】
上記の構成によれば、開封片を包装体より剥がした際に、第３接合部によって包装フィルムにつけられた切れ目が包装フィルムを胴周方向に開裂させる起点となるため、より容易に包装フィルムを包装体の胴周方向に開裂させることができる。結果、開封片付き包装体の開封がより容易になる。
【００７０】
また、本発明に係る開封片付き包装体においては、上記第３接合部は、上記第２接合部よりも上記胴周方向の幅が小さい形状を有していることが好ましい。
【００７１】
上記の構成によれば、開封片を剥離方向に剥がした際に包装フィルムを包装体の胴周方向に開裂させる起点となる切れ目を包装フィルムに与えることができる。
【００７２】
また、本発明に係る開封片付き包装体においては、上記開封片は、矩形であり、上記第２接合部は、上記線形状の両端から、当該線形状よりも上記所定方向の下流側に向かって傾斜している斜線部分を有していることが好ましい。
【００７３】
上記の構成によれば、斜線部分は、開封片付き包装体をレトルト殺菌するレトルト工程、または開封片付き包装体を製造する包装工程等において開封片がめくれてしまうことを抑制する機能を有している。
【００７４】
また、本発明に係る開封片付き包装体においては、上記開封片は、矩形であり、上記第３接合部は、上記第２接合部の上記所定方向の下流側の端部よりも上記所定方向の上流側の位置に形成されていることが好ましい。
【００７５】
上記の構成によれば、第３接合部は、開封片付き包装体をレトルト殺菌するレトルト工程、または開封片付き包装体を製造する包装工程等において開封片がめくれてしまうことを抑制する機能を有している。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７７】
本発明は、ソーセージ等の内容物が充填された包装体に利用することができる。
【符号の説明】
【００７８】
１  包装体
２  開封片
３ａ  第１接合部
３ｂ  第２接合部
３ｃ  第３接合部
４  結紮部
１０  開封片付き包装体
１１  包装体
１２  開封片
１３  溶着部
１４  結紮部
２０  開封片付き包装体
【図１】
2016185884.tif 000003
【図２】
2016185884.tif 000004
【図３】
2016185884.tif 000005
【図４】
2016185884.tif 000006
【図５】
2016185884.tif 000007
【図６】
2016185884.tif 000008
【図７】
2016185884.tif 000009
【図８】
2016185884.tif 000010
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
筒状に形成した包装フィルムの内部に内容物を充填し、両端を閉じて形成された包装体と、
上記包装体と接合している接合部を有する開封片と、を備え、
上記接合部は、
上記開封片を長手方向に剥がすことによって、上記包装フィルムを面状に裂くことの起点となる第１接合部と、
上記第１接合部よりも上記長手方向の下流側に位置し、上記開封片を上記長手方向に剥がした際に上記第１接合部によって面状に裂かれた上記包装フィルムが到達すると、面状に裂かれる上記包装フィルムの胴周方向の幅をさらに広げることの起点となる第２接合部と、を含み、
上記開封片は、矩形であり、
上記第１接合部は、底辺の一部が内部に凹んでいる三角形の底辺が胴周方向に延び、当該底辺が開封片の上端側に位置する形状を有しており、
上記第２接合部は、上記胴周方向に延びた線形状を有しており、
上記第２接合部は、上記胴周方向に伸びた線形状の両端から、当該線形状よりも上記長手方向の下流側に向かって傾斜している斜線部分を有しており、
上記第１接合部は、上記第２接合部よりも上記胴周方向の幅が小さい形状を有していることを特徴とする開封片付き包装体。
【請求項２】
上記接合部は、
上記開封片を上記長手方向に剥がした際に上記第２接合部によって面状に裂かれた上記包装フィルムを上記開封片付き包装体の後方に引き下げると、上記包装フィルムを上記包装体の胴周方向に開裂させることの起点となる第３接合部をさらに含むことを特徴とする請求項１に記載の開封片付き包装体。
【請求項３】
上記第３接合部は、上記第２接合部よりも上記胴周方向の幅が小さい形状を有していることを特徴とする請求項２に記載の開封片付き包装体。
【請求項４】
上記第３接合部は、上記第２接合部の上記長手方向の下流側の端部よりも上記長手方向の上流側の位置に形成されていることを特徴とする請求項３に記載の開封片付き包装体。
【国際調査報告】
2016185884.tif 000011
2016185884.tif 000012
2016185884.tif 000013
2016185884.tif 000014